(57)【要約】  無線通信システムにおけるページングメッセージを送信する方法及び装置が提供される。ＭＭＥ（ｍｏｂｉｌｉｔｙ  ｍａｎａｇｅｍｅｎｔ  ｅｎｔｉｔｙ）は、ページングのための端末（ＵＥ；ｕｓｅｒ  ｅｑｕｉｐｍｅｎｔ）能力の指示子を含むページングメッセージをｅＮＢ（ｅＮｏｄｅＢ）に送信し、前記ページングのための端末能力の指示子は、ページングされる端末がカテゴリー０端末であるか否かを指示し、前記カテゴリー０端末は、単一受信アンテナを有し、ユニキャストＵＬ−ＳＣＨ（ｕｐｌｉｎｋ  ｓｈａｒｅｄ  ｃｈａｎｎｅｌ）送信またはユニキャストＤＬ−ＳＣＨ（ｄｏｗｎｌｉｎｋ  ｓｈａｒｅｄ  ｃｈａｎｎｅｌ）受信のために、最大１０００ビットの送信ブロックサイズ（ＴＢＳ；ｔｒａｎｓｐｏｒｔ  ｂｌｏｃｋ  ｓｉｚｅ）を支援し、前記ページングのための端末能力を受信したｅＮＢは、前記ページングのための端末能力に基づいて端末にページングメッセージを送信する。【選択図】図７
2016535506.tif 000002
【特許請求の範囲】
【請求項１】
無線通信システムにおけるＭＭＥ（ｍｏｂｉｌｉｔｙ  ｍａｎａｇｅｍｅｎｔ  ｅｎｔｉｔｙ）によるページングメッセージを送信する方法であって、
ページングのための端末（ＵＥ；ｕｓｅｒ  ｅｑｕｉｐｍｅｎｔ）能力の指示子を含むページングメッセージをｅＮＢ（ｅＮｏｄｅＢ）に送信するステップを含み、
前記ページングのための端末能力の指示子は、ページングされる端末がカテゴリー０端末であるか否かを指示する、方法。
【請求項２】
前記カテゴリー０端末は、単一受信アンテナを有し、ユニキャストＵＬ−ＳＣＨ（ｕｐｌｉｎｋ  ｓｈａｒｅｄ  ｃｈａｎｎｅｌ）送信またはユニキャストＤＬ−ＳＣＨ（ｄｏｗｎｌｉｎｋ  ｓｈａｒｅｄ  ｃｈａｎｎｅｌ）受信のために、最大１０００ビットの送信ブロックサイズ（ＴＢＳ；ｔｒａｎｓｐｏｒｔ  ｂｌｏｃｋ  ｓｉｚｅ）を支援する、請求項１に記載の方法。
【請求項３】
前記ページングのための端末能力の指示子は、前記ページングされる端末のカテゴリーをさらに指示する、請求項１に記載の方法。
【請求項４】
前記ページングのための端末能力の指示子は、前記ページングされる端末が制限された帯域幅内でスケジューリングされる必要があることをさらに指示する、請求項１に記載の方法。
【請求項５】
前記ページングのための端末能力の指示子は、前記ページングされる端末がＵＬ−ＳＣＨまたはＤＬ−ＳＣＨの最大ＴＢＳに対して制限があることをさらに指示する、請求項１に記載の方法。
【請求項６】
無線通信システムにおけるｅＮＢ（ｅＮｏｄｅＢ）によるページングメッセージを送信する方法であって、
ページングされる端末（ＵＥ；ｕｓｅｒ  ｅｑｕｉｐｍｅｎｔ）がカテゴリー０端末であるか否かを指示するページングのための端末能力の指示子を含む第１のページングメッセージをＭＭＥ（ｍｏｂｉｌｉｔｙ  ｍａｎａｇｅｍｅｎｔ  ｅｎｔｉｔｙ）から受信するステップと、
前記ページングのための端末能力の指示子に基づいて、前記端末に第２のページングメッセージを送信するステップを含む、方法。
【請求項７】
前記カテゴリー０端末は、単一受信アンテナを有し、ユニキャストＵＬ−ＳＣＨ（ｕｐｌｉｎｋ  ｓｈａｒｅｄ  ｃｈａｎｎｅｌ）送信またはユニキャストＤＬ−ＳＣＨ（ｄｏｗｎｌｉｎｋ  ｓｈａｒｅｄ  ｃｈａｎｎｅｌ）受信のために、最大１０００ビットの送信ブロックサイズ（ＴＢＳ；ｔｒａｎｓｐｏｒｔ  ｂｌｏｃｋ  ｓｉｚｅ）を支援する、請求項６に記載の方法。
【請求項８】
前記ページングのための端末能力の指示子は、前記ページングされる端末のカテゴリーをさらに指示する、請求項６に記載の方法。
【請求項９】
前記ページングのための端末能力の指示子は、前記ページングされる端末が制限された帯域幅内でスケジューリングされる必要があることをさらに指示する、請求項６に記載の方法。
【請求項１０】
前記ページングのための端末能力の指示子は、前記ページングされる端末がＵＬ−ＳＣＨまたはＤＬ−ＳＣＨの最大ＴＢＳに対して制限があることをさらに指示する、請求項６に記載の方法。
【請求項１１】
前記第２のページングメッセージは、前記カテゴリー０端末に特定されたＰ−ＲＮＴＩ（ｐａｇｉｎｇ  ｒａｄｉｏ  ｎｅｔｗｏｒｋ  ｔｅｍｐｏｒａｒｙ  ｉｄｅｎｔｉｔｙ）を使用して送信される、請求項６に記載の方法。
【請求項１２】
前記第２のページングメッセージは、前記カテゴリー０端末に特定されたページング機会内で送信される、請求項６に記載の方法。
【請求項１３】
前記カテゴリー０端末に特定されたページング機会は、前記カテゴリー０端末を除いた残りの全ての端末のために使用されるページング機会の部分集合である、請求項１２に記載の方法。
【請求項１４】
前記カテゴリー０端末に特定されたページング機会及びページング周期に関する情報を前記端末に送信するステップをさらに含む、請求項６に記載の方法。
【請求項１５】
無線通信システムにおけるｅＮＢ（ｅＮｏｄｅＢ）であって、
無線信号を送信または受信するＲＦ（ｒａｄｉｏ  ｆｒｅｑｕｅｎｃｙ）部と、
前記ＲＦ部と連結されるプロセッサと、
を備え、
前記プロセッサは、
ページングされる端末（ＵＥ；ｕｓｅｒ  ｅｑｕｉｐｍｅｎｔ）がカテゴリー０端末であるか否かを指示するページングのための端末能力の指示子を含む第１のページングメッセージをＭＭＥ（ｍｏｂｉｌｉｔｙ  ｍａｎａｇｅｍｅｎｔ  ｅｎｔｉｔｙ）から受信し、
前記ページングのための端末能力の指示子に基づいて、前記端末に第２のページングメッセージを送信するように構成される、ｅＮＢ。
【発明の詳細な説明】
【技術分野】
【０００１】
本発明は、無線通信に関し、より詳細には、無線通信システムにおけるページングメッセージを送信する方法及び装置に関する。
【背景技術】
【０００２】
ＵＭＴＳ（ｕｎｉｖｅｒｓａｌ  ｍｏｂｉｌｅ  ｔｅｌｅｃｏｍｍｕｎｉｃａｔｉｏｎｓ  ｓｙｓｔｅｍ）は、ヨーロッパシステム（Ｅｕｒｏｐｅａｎ  ｓｙｓｔｅｍ）、ＧＳＭ（ｇｌｏｂａｌ  ｓｙｓｔｅｍ  ｆｏｒ  ｍｏｂｉｌｅ  ｃｏｍｍｕｎｉｃａｔｉｏｎｓ）、及びＧＰＲＳ（ｇｅｎｅｒａｌ  ｐａｃｋｅｔ  ｒａｄｉｏ  ｓｅｒｖｉｃｅｓ）に基づいてＷＣＭＤＡ（ｗｉｄｅｂａｎｄ  ｃｏｄｅ  ｄｉｖｉｓｉｏｎ  ｍｕｌｔｉｐｌｅ  ａｃｃｅｓｓ）で動作する３世代（３ｒｄ  ｇｅｎｅｒａｔｉｏｎ）非同期（ａｓｙｎｃｈｒｏｎｏｕｓ）移動通信システムである。ＵＭＴＳのＬＴＥ（ｌｏｎｇ−ｔｅｒｍ  ｅｖｏｌｕｔｉｏｎ）がＵＭＴＳを標準化する３ＧＰＰ（３ｒｄ  ｇｅｎｅｒａｔｉｏｎ  ｐａｒｔｎｅｒｓｈｉｐ  ｐｒｏｊｅｃｔ）により議論中である。
【０００３】
３ＧＰＰ  ＬＴＥは、高速パケット通信を可能にするための技術である。ＬＴＥ目標であるユーザと事業者の費用節減、サービス品質向上、カバレッジ拡張及びシステム容量増大のために多くの方式が提案された。３ＧＰＰ  ＬＴＥは、上位レベル必要条件として、ビット当たり費用節減、サービス有用性向上、周波数バンドの柔軟な使用、簡単な構造、開放型インタフェース及び端末の適切な電力消費を要求する。
【０００４】
３ＧＰＰ  ＬＴＥにおいて、端末（ＵＥ；ｕｓｅｒ  ｅｑｕｉｐｍｅｎｔ）は、ネットワークによりページングされ得る。ページングメッセージは、同じトラッキング領域（ＴＡ；ｔｒａｃｋｉｎｇ  ａｒｅａ）に属する全てのセル上に送信される。コアネットワークの観点からみると、ページング手順の目的は、ＭＭＥ（ｍｏｂｉｌｉｔｙ  ｍａｎａｇｅｍｅｎｔ  ｅｎｔｉｔｙ）が特定のｅＮＢ（ｅＮｏｄｅＢ）内のＵＥをページングできるようにすることである。ｅＮＢの観点からみると、ページング手順の目的は、ページング情報をＲＲＣ（ｒａｄｉｏ  ｒｅｓｏｕｒｃｅ  ｃｏｎｔｒｏｌ）アイドルモードにあるＵＥに送信、及び／又はシステム情報の変化に対してＲＲＣアイドルモードにあるＵＥ及びＲＲＣ連結モードにあるＵＥに通知、及び／又は地震及び津波警報システム（ＥＴＷＳ；ｅａｒｔｈｑｕａｋｅ  ａｎｄ  ｔｓｕｎａｍｉ  ｗａｒｎｉｎｇ  ｓｙｓｔｅｍ）１次通報及び／又はＥＴＷＳ２次通報に対して通知、及び／又は商用移動警告システム（ＣＭＡＳ；ｃｏｍｍｅｒｃｉａｌ  ｍｏｂｉｌｅ  ａｌｅｒｔ  ｓｙｓｔｅｍ）に対する通知を行うことである。前記ページング情報は、上位層に提供され、これに対する反応として、例えば、入ってくる呼び出しを受信するためにＲＲＣ連結確立が開始され得る。
【０００５】
低い複雑度のＵＥは、低い順位（例えば、ユーザ当たり、低い平均収益、低いデータ比率、遅延の許容）のアプリケーション、例えば、一部機械タイプ通信をターゲットとする。低い複雑度のＵＥは、カテゴリー０  ＵＥと呼ばれることができる。カテゴリー０  ＵＥの特性に応じて、従来のページング過程がカテゴリー０  ＵＥに対して作動しないことがある。したがって、カテゴリー０  ＵＥを効率的にページングするための方法が要求される。
【発明の概要】
【発明が解決しようとする課題】
【０００６】
本発明は、無線通信システムにおけるページングメッセージを送信する方法及び装置を提供する。本発明は、ＲＲＣ（ｒａｄｉｏ  ｒｅｓｏｕｒｃｅ  ｃｏｎｔｒｏｌ）アイドルモードにあり、一般端末（ＵＥ；ｕｓｅｒ  ｅｑｕｉｐｍｅｎｔ）より低い性能を有するカテゴリー０端末に対するページングメッセージを送信する方法を提供する。本発明は、コアネットワークがカテゴリー０端末のページングに関する情報をｅＮＢ（ｅＮｏｄｅＢ）に送信する方法を提供する。
【課題を解決するための手段】
【０００７】
一態様において、無線通信システムにおけるＭＭＥ（ｍｏｂｉｌｉｔｙ  ｍａｎａｇｅｍｅｎｔ  ｅｎｔｉｔｙ）によるページングメッセージを送信する方法が提供される。前記方法は、ページングのための端末（ＵＥ；ｕｓｅｒ  ｅｑｕｉｐｍｅｎｔ）能力の指示子を含むページングメッセージをｅＮＢ（ｅＮｏｄｅＢ）に送信することを含む。前記ページングのための端末能力の指示子は、ページングされる端末がカテゴリー０端末であるか否かを指示する。前記カテゴリー０端末は、単一受信アンテナを有し、ユニキャストＵＬ−ＳＣＨ（ｕｐｌｉｎｋ  ｓｈａｒｅｄ  ｃｈａｎｎｅｌ）送信またはユニキャストＤＬ−ＳＣＨ（ｄｏｗｎｌｉｎｋ  ｓｈａｒｅｄ  ｃｈａｎｎｅｌ）受信のために、最大１０００ビットの送信ブロックサイズ（ＴＢＳ；ｔｒａｎｓｐｏｒｔ  ｂｌｏｃｋ  ｓｉｚｅ）を支援できる。
【０００８】
他の態様において、無線通信システムにおけるｅＮＢ（ｅＮｏｄｅＢ）によるページングメッセージを送信する方法が提供される。前記方法は、ページングのための端末（ＵＥ；ｕｓｅｒ  ｅｑｕｉｐｍｅｎｔ）能力の指示子を含む第１のページングメッセージをＭＭＥ（ｍｏｂｉｌｉｔｙ  ｍａｎａｇｅｍｅｎｔ  ｅｎｔｉｔｙ）から受信し、及び前記ページングのための端末能力の指示子に基づいて、前記端末に第２のページングメッセージを送信することを含む。前記ページングのための端末能力の指示子は、ページングされる端末がカテゴリー０端末であるか否かを指示する。
【０００９】
他の態様において、無線通信システムにおいてｅＮＢ（ｅＮｏｄｅＢ）が提供される。前記ｅＮＢは、無線信号を送信または受信するＲＦ（ｒａｄｉｏ  ｆｒｅｑｕｅｎｃｙ）部と、前記ＲＦ部と連結されるプロセッサとを備える。前記プロセッサは、ページングのための端末（ＵＥ；ｕｓｅｒ  ｅｑｕｉｐｍｅｎｔ）能力の指示子を含む第１のページングメッセージをＭＭＥ（ｍｏｂｉｌｉｔｙ  ｍａｎａｇｅｍｅｎｔ  ｅｎｔｉｔｙ）から受信し、及び前記ページングのための端末能力の指示子に基づいて、前記端末に第２のページングメッセージを送信するように構成される。前記ページングのための端末能力の指示子は、ページングされる端末がカテゴリー０端末であるか否かを指示する。
【発明の効果】
【００１０】
ネットワークがカテゴリー０端末を効率的にページングできる。
【図面の簡単な説明】
【００１１】
【図１】ＬＴＥシステムの構造を示す。
【図２】一般的なＥ−ＵＴＲＡＮ及びＥＰＣの構造を示す。
【図３】ＬＴＥシステムのユーザ平面プロトコルスタック及び制御平面プロトコルスタックのブロック図である。
【図４】物理チャネル構造の一例を示す。
【図５】ＭＭＥ及びｅＮＢ間でのページング手順を示す。
【図６】Ｅ−ＵＴＲＡＮ及びｅＮＢ間でのページング手順を示す。
【図７】本発明の一実施形態によってページングメッセージを送信する方法の例を示す。
【図８】本発明の一実施形態によってページングメッセージを送信する方法のさらに他の例を示す。
【図９】本発明の実施形態が実現される無線通信システムのブロック図である。
【発明を実施するための形態】
【００１２】
以下の技術は、ＣＤＭＡ(ｃｏｄｅ ｄｉｖｉｓｉｏｎ ｍｕｌｔｉｐｌｅ ａｃｃｅｓｓ)、ＦＤＭＡ(ｆｒｅｑｕｅｎｃｙ ｄｉｖｉｓｉｏｎ ｍｕｌｔｉｐｌｅ ａｃｃｅｓｓ)、ＴＤＭＡ(ｔｉｍｅ ｄｉｖｉｓｉｏｎ ｍｕｌｔｉｐｌｅ ａｃｃｅｓｓ)、ＯＦＤＭＡ(ｏｒｔｈｏｇｏｎａｌ ｆｒｅｑｕｅｎｃｙ ｄｉｖｉｓｉｏｎ ｍｕｌｔｉｐｌｅ ａｃｃｅｓｓ)、ＳＣ−ＦＤＭＡ(ｓｉｎｇｌｅ ｃａｒｒｉｅｒ ｆｒｅｑｕｅｎｃｙ ｄｉｖｉｓｉｏｎ ｍｕｌｔｉｐｌｅ ａｃｃｅｓｓ)などのような多様な無線通信システムに使用されることができる。ＣＤＭＡは、ＵＴＲＡ(ｕｎｉｖｅｒｓａｌ ｔｅｒｒｅｓｔｒｉａｌ ｒａｄｉｏ ａｃｃｅｓｓ)やＣＤＭＡ２０００のような無線技術で実現されることができる。ＴＤＭＡは、ＧＳＭ(ｇｌｏｂａｌ ｓｙｓｔｅｍ ｆｏｒ ｍｏｂｉｌｅ ｃｏｍｍｕｎｉｃａｔｉｏｎｓ)/ＧＰＲＳ(ｇｅｎｅｒａｌ ｐａｃｋｅｔ ｒａｄｉｏ ｓｅｒｖｉｃｅ)/ＥＤＧＥ(ｅｎｈａｎｃｅｄ ｄａｔａ ｒａｔｅｓ ｆｏｒ ＧＳＭ ｅｖｏｌｕｔｉｏｎ)のような無線技術で実現されることができる。ＯＦＤＭＡは、ＩＥＥＥ(ｉｎｓｔｉｔｕｔｅ ｏｆ ｅｌｅｃｔｒｉｃａｌ ａｎｄ ｅｌｅｃｔｒｏｎｉｃｓ ｅｎｇｉｎｅｅｒｓ)８０２.１１(Ｗｉ−Ｆｉ)、ＩＥＥＥ８０２.１６(ＷｉＭＡＸ)、ＩＥＥＥ８０２.２０、Ｅ−ＵＴＲＡ(ｅｖｏｌｖｅｄ ＵＴＲＡ)などのような無線技術で実現されることができる。ＩＥＥＥ８０２.１６ｍは、ＩＥＥＥ８０２.１６ｅの進化であり、ＩＥＥＥ８０２.１６に基づくシステムとの後方互換性(ｂａｃｋｗａｒｄ ｃｏｍｐａｔｉｂｉｌｉｔｙ)を提供する。ＵＴＲＡは、ＵＭＴＳ(ｕｎｉｖｅｒｓａｌ ｍｏｂｉｌｅ ｔｅｌｅｃｏｍｍｕｎｉｃａｔｉｏｎｓ ｓｙｓｔｅｍ)の一部である。３ＧＰＰ(３ｒｄ ｇｅｎｅｒａｔｉｏｎ ｐａｒｔｎｅｒｓｈｉｐ ｐｒｏｊｅｃｔ)ＬＴＥ(ｌｏｎｇ ｔｅｒｍ ｅｖｏｌｕｔｉｏｎ)は、Ｅ−ＵＴＲＡ(ｅｖｏｌｖｅｄ−ＵＭＴＳ ｔｅｒｒｅｓｔｒｉａｌ ｒａｄｉｏ ａｃｃｅｓｓ)を使用するＥ−ＵＭＴＳ(ｅｖｏｌｖｅｄ ＵＭＴＳ)の一部であり、ダウンリンクでＯＦＤＭＡを採用し、アップリンクでＳＣ−ＦＤＭＡを採用する。ＬＴＥ−Ａ(ａｄｖａｎｃｅｄ)は、３ＧＰＰ ＬＴＥの進化である。
【００１３】
説明を明確にするために、ＬＴＥ−Ａを中心に記述するが、本発明の技術的思想がこれに制限されるものではない。
【００１４】
図１は、ＬＴＥシステムの構造を示す。通信ネットワークは、ＩＭＳ及びパケットデータを介したインターネット電話(Ｖｏｉｃｅ ｏｖｅｒ ｉｎｔｅｒｎｅｔ ｐｒｏｔｏｃｏｌ：ＶｏＩＰ)のような多様な通信サービスを提供するために広く設置される。
【００１５】
図１を参照すると、ＬＴＥシステム構造は、１つ以上の端末(ＵＥ)１０、Ｅ−ＵＴＲＡＮ(ｅｖｏｌｖｅｄ−ＵＭＴＳ ｔｅｒｒｅｓｔｒｉａｌ ｒａｄｉｏ ａｃｃｅｓｓ ｎｅｔｗｏｒｋ)及びＥＰＣ(ｅｖｏｌｖｅｄ ｐａｃｋｅｔ ｃｏｒｅ)を含む。端末１０は、ユーザにより動く通信装置である。端末１０は、固定されてもよいし、移動性を有してもよく、ＭＳ(ｍｏｂｉｌｅ ｓｔａｔｉｏｎ)、ＵＴ(ｕｓｅｒ ｔｅｒｍｉｎａｌ)、ＳＳ(ｓｕｂｓｃｒｉｂｅｒ ｓｔａｔｉｏｎ)、無線機器(ｗｉｒｅｌｅｓｓ ｄｅｖｉｃｅ)等、他の用語で呼ばれることもある。
【００１６】
Ｅ−ＵＴＲＡＮは、１つ以上のｅＮＢ(ｅｖｏｌｖｅｄ ｎｏｄｅ−Ｂ)２０を含むことができ、１つのセルに複数の端末が存在できる。ｅＮＢ２０は、制御平面(ｃｏｎｔｒｏｌ ｐｌａｎｅ)とユーザ平面(ｕｓｅｒ ｐｌａｎｅ)の終端点を端末に提供する。ｅＮＢ２０は、一般的に端末１０と通信する固定局(ｆｉｘｅｄ ｓｔａｔｉｏｎ)を意味し、ＢＳ(ｂａｓｅ ｓｔａｔｉｏｎ)、ＢＴＳ(ｂａｓｅ ｔｒａｎｓｃｅｉｖｅｒ ｓｙｓｔｅｍ)、アクセスポイント(ａｃｃｅｓｓ ｐｏｉｎｔ)等、他の用語で呼ばれることもある。１つのｅＮＢ２０は、セル毎に配置されることができる。ｅＮＢ２０のカバレッジ内に１つ以上のセルが存在できる。１つのセルは、１.２５、２.５、５、１０及び２０ＭＨｚなどの帯域幅のうち１つを有するように設定され、複数の端末にダウンリンク(ＤＬ；ｄｏｗｎｌｉｎｋ)またはアップリンク(ＵＬ；ｕｐｌｉｎｋ)送信サービスを提供することができる。このとき、互いに異なるセルは、互いに異なる帯域幅を提供するように設定されることができる。
【００１７】
以下、ＤＬはｅＮＢ２０から端末１０への通信を意味し、ＵＬは端末１０からｅＮＢ２０への通信を意味する。ＤＬにおいて、送信機はｅＮＢ２０の一部であり、受信機は端末１０の一部である。ＵＬにおいて、送信機は端末１０の一部であり、受信機はｅＮＢ２０の一部である。
【００１８】
ＥＰＣは、制御平面の機能を担当するＭＭＥ(ｍｏｂｉｌｉｔｙ ｍａｎａｇｅｍｅｎｔ ｅｎｔｉｔｙ)、ユーザ平面の機能を担当するＳ−ＧＷ(ｓｙｓｔｅｍ ａｒｃｈｉｔｅｃｔｕｒｅ ｅｖｏｌｕｔｉｏｎ(ＳＡＥ) ｇａｔｅｗａｙ)を含むことができる。ＭＭＥ/Ｓ−ＧＷ３０は、ネットワークの終端に位置し、外部ネットワークと接続される。ＭＭＥは、端末のアクセス情報や端末の能力に対する情報を有し、このような情報は、主に端末の移動性管理に使用されることができる。Ｓ−ＧＷは、Ｅ−ＵＴＲＡＮを終端点として有するゲートウェイである。ＭＭＥ/Ｓ−ＧＷ３０は、セッションの終端点と移動性管理機能を端末１０に提供する。ＥＰＣは、ＰＤＮ(ｐａｃｋｅｔ ｄａｔａ ｎｅｔｗｏｒｋ)−ＧＷ(ｇａｔｅｗａｙ)をさらに含むことができる。ＰＤＮ−ＧＷは、ＰＤＮを終端点として有するゲートウェイである。
【００１９】
ＭＭＥは、ｅＮＢ２０へのＮＡＳ(ｎｏｎ−ａｃｃｅｓｓ ｓｔｒａｔｕｍ)シグナリング、ＮＡＳシグナリングセキュリティ、ＡＳ(ａｃｃｅｓｓ ｓｔｒａｔｕｍ)セキュリティ制御、３ＧＰＰアクセスネットワーク間の移動性のためのｉｎｔｅｒ ＣＮ(ｃｏｒｅ ｎｅｔｗｏｒｋ)ノードシグナリング、アイドルモード端末到達可能性(ページング再送信の制御及び実行を含む)、トラッキング領域リスト管理(アイドルモード及び活性化モードである端末のために)、Ｐ−ＧＷ及びＳ−ＧＷ選択、ＭＭＥ変更と共にハンドオーバのためのＭＭＥ選択、２Ｇまたは３Ｇ ３ＧＰＰアクセスネットワークへのハンドオーバのためのＳＧＳＮ(ｓｅｒｖｉｎｇ ＧＰＲＳ ｓｕｐｐｏｒｔ ｎｏｄｅ)選択、ローミング、認証、専用ベアラ設定を含むベアラ管理機能、ＰＷＳ(ｐｕｂｌｉｃ ｗａｒｎｉｎｇ ｓｙｓｔｅｍ：地震/津波警報システム(ＥＴＷＳ)及び商用モバイル警報システム(ＣＭＡＳ)含む)メッセージ送信サポートなどの多様な機能を提供する。Ｓ−ＧＷホストは、各々のユーザに基づいてパケットフィルタリング(例えば、深層的なパケット検査を介して)、合法的遮断、端末ＩＰ(ｉｎｔｅｒｎｅｔ ｐｒｏｔｏｃｏｌ)アドレス割当、ＤＬでトランスポートレベルパッキングマーキング、ＵＬ/ＤＬサービスレベル課金、ゲーティング及び等級強制、ＡＰＮ−ＡＭＢＲに基づくＤＬ等級強制の各種機能を提供する。明確性のために、ＭＭＥ/Ｓ−ＧＷ３０は、単に“ゲートウェイ”で表現し、これはＭＭＥ及びＳ−ＧＷを両方とも含むことができる。
【００２０】
ユーザトラフィック送信または制御トラフィック送信のためのインターフェースが使用されることができる。端末１０及びｅＮＢ２０は、Ｕｕインターフェースにより接続されることができる。ｅＮＢ２０は、Ｘ２インターフェースにより相互間接続されることができる。隣接ｅＮＢ２０は、Ｘ２インターフェースによるメッシュネットワーク構造を有することができる。ｅＮＢ２０は、Ｓ１インターフェースによりＥＰＣと接続されることができる。ｅＮＢ２０は、Ｓ１−ＭＭＥインターフェースによりＭＭＥと接続されることができ、Ｓ１−ＵインターフェースによりＳ−ＧＷと接続されることができる。Ｓ１インターフェースは、ｅＮＢ２０とＭＭＥ/Ｓ−ＧＷ３０との間に多対多関係(ｍａｎｙ−ｔｏ−ｍａｎｙ−ｒｅｌａｔｉｏｎ)をサポートする。
【００２１】
図２は、一般的なＥ−ＵＴＲＡＮ及びＥＰＣの構造を示す。 図２を参照すると、ｅＮＢ２０は、ゲートウェイ３０に対する選択、ＲＲＣ(ｒａｄｉｏ ｒｅｓｏｕｒｃｅ ｃｏｎｔｒｏｌ)活性(ａｃｔｉｖａｔｉｏｎ)中のゲートウェイ３０へのルーティング(ｒｏｕｔｉｎｇ)、ページングメッセージのスケジューリング及び送信、ＢＣＨ(ｂｒｏａｄｃａｓｔ ｃｈａｎｎｅｌ)情報のスケジューリング及び送信、ＵＬ及びＤＬから端末１０へのリソースの動的割当、ｅＮＢ測定の設定(ｃｏｎｆｉｇｕｒａｔｉｏｎ)及び提供(ｐｒｏｖｉｓｉｏｎｉｎｇ)、無線ベアラ制御、ＲＡＣ(ｒａｄｉｏ ａｄｍｉｓｓｉｏｎ ｃｏｎｔｒｏｌ)及びＬＴＥ活性状態で接続移動性制御機能を遂行することができる。前記のように、ゲートウェイ３０は、ＥＰＣでページング開始、ＬＴＥアイドル状態管理、ユーザ平面の暗号化、ＳＡＥベアラ制御及びＮＡＳシグナリングの暗号化と完全性保護機能を遂行することができる。
【００２２】
図３は、ＬＴＥシステムのユーザ平面プロトコルスタック及び制御平面プロトコルスタックのブロック図である。図３−(ａ)は、ＬＴＥシステムのユーザ平面プロトコルスタックのブロック図であり、図３−(ｂ)は、ＬＴＥシステムの制御平面プロトコルスタックのブロック図である。
【００２３】
端末とＥ−ＵＴＲＡＮとの間の無線インターフェースプロトコルの層は、通信システムで広く知られたＯＳＩ(ｏｐｅｎ ｓｙｓｔｅｍ ｉｎｔｅｒｃｏｎｎｅｃｔｉｏｎ)モデルの下位３層に基づいてＬ１(第１の層)、Ｌ２(第２の層)及びＬ３(第３の層)に区分される。端末とＥ−ＵＴＲＡＮとの間の無線インターフェースプロトコルは、水平的には、物理層、データリンク層(ｄａｔａ ｌｉｎｋ ｌａｙｅｒ)及びネットワーク層(ｎｅｔｗｏｒｋ ｌａｙｅｒ)に区分されることができ、垂直的には、制御信号送信のためのプロトコルスタック(ｐｒｏｔｏｃｏｌ ｓｔａｃｋ)である制御平面(ｃｏｎｔｒｏｌ ｐｌａｎｅ)とデータ情報送信のためのプロトコルスタックであるユーザ平面(ｕｓｅｒ ｐｌａｎｅ)とに区分されることができる。無線インターフェースプロトコルの層は、端末とＥ−ＵＴＲＡＮで対(ｐａｉｒ)に存在でき、これはＵｕインターフェースのデータ送信を担当することができる。
【００２４】
物理層(ＰＨＹ；ｐｈｙｓｉｃａｌ ｌａｙｅｒ)は、Ｌ１に属する。物理層は、物理チャネルを介して上位層に情報送信サービスを提供する。物理層は、上位層であるＭＡＣ(ｍｅｄｉａ ａｃｃｅｓｓ ｃｏｎｔｒｏｌ)層とトランスポートチャネル(ｔｒａｎｓｐｏｒｔ ｃｈａｎｎｅｌ)を介して接続される。物理チャネルは、トランスポートチャネルにマッピングされる。トランスポートチャネルを介してＭＡＣ層と物理層との間にデータが送信されることができる。互いに異なる物理層間、即ち、送信機の物理層と受信機の物理層との間にデータは、物理チャネルを介して無線リソースを利用して送信されることができる。物理層は、ＯＦＤＭ(ｏｒｔｈｏｇｏｎａｌ ｆｒｅｑｕｅｎｃｙ ｄｉｖｉｓｉｏｎ ｍｕｌｔｉｐｌｅｘｉｎｇ)方式を利用して変調されることができ、時間と周波数を無線リソースとして活用する。
【００２５】
物理層は、いくつかの物理制御チャネル(ｐｈｙｓｉｃａｌ ｃｏｎｔｒｏｌ ｃｈａｎｎｅｌ)を使用する。ＰＤＣＣＨ(ｐｈｙｓｉｃａｌ ｄｏｗｎｌｉｎｋ ｃｏｎｔｒｏｌ ｃｈａｎｎｅｌ)は、ＰＣＨ(ｐａｇｉｎｇ ｃｈａｎｎｅｌ)及びＤＬ−ＳＣＨ(ｄｏｗｎｌｉｎｋ ｓｈａｒｅｄ ｃｈａｎｎｅｌ)のリソース割当、ＤＬ−ＳＣＨと関連しているＨＡＲＱ(ｈｙｂｒｉｄ ａｕｔｏｍａｔｉｃ ｒｅｐｅａｔ ｒｅｑｕｅｓｔ)情報に対して端末に報告する。ＰＤＣＣＨは、アップリンク送信のリソース割当に対して端末に報告するためにアップリンクグラントを伝送することができる。ＰＣＦＩＣＨ(ｐｈｙｓｉｃａｌ ｃｏｎｔｒｏｌ ｆｏｒｍａｔ ｉｎｄｉｃａｔｏｒ ｃｈａｎｎｅｌ)は、ＰＤＣＣＨのために使用されるＯＦＤＭシンボルの個数を端末に知らせ、全てのサブフレーム毎に送信される。ＰＨＩＣＨ(ｐｈｙｓｉｃａｌ ｈｙｂｒｉｄ ＡＲＱ ｉｎｄｉｃａｔｏｒ ｃｈａｎｎｅｌ)は、ＵＬ−ＳＣＨ送信に対するＨＡＲＱ ＡＣＫ(ａｃｋｎｏｗｌｅｄｇｅｍｅｎｔ)/ＮＡＣＫ(ｎｏｎ−ａｃｋｎｏｗｌｅｄｇｅｍｅｎｔ)信号を伝送する。ＰＵＣＣＨ(ｐｈｙｓｉｃａｌ ｕｐｌｉｎｋ ｃｏｎｔｒｏｌ ｃｈａｎｎｅｌ)は、ダウンリンク送信のためのＨＡＲＱ ＡＣＫ/ＮＡＣＫ、スケジューリング要求及びＣＱＩのようなＵＬ制御情報を伝送する。ＰＵＳＣＨ(ｐｈｙｓｉｃａｌ ｕｐｌｉｎｋ ｓｈａｒｅｄ ｃｈａｎｎｅｌ)は、ＵＬ−ＳＣＨ(ｕｐｌｉｎｋ ｓｈａｒｅｄ ｃｈａｎｎｅｌ)を伝送する。
【００２６】
図４は、物理チャネル構造の一例を示す。物理チャネルは、時間領域で複数のサブフレーム(ｓｕｂｆｒａｍｅ)と周波数領域で複数の副搬送波(ｓｕｂｃａｒｒｉｅｒ)で構成される。１つのサブフレームは、時間領域で複数のシンボルで構成される。１つのサブフレームは、複数のリソースブロック(ＲＢ；ｒｅｓｏｕｒｃｅ ｂｌｏｃｋ)で構成される。１つのリソースブロックは、複数のシンボルと複数の副搬送波で構成される。また、各サブフレームは、ＰＤＣＣＨのために該当サブフレームの特定シンボルの特定副搬送波を利用することができる。例えば、サブフレームの１番目のシンボルがＰＤＣＣＨのために使用されることができる。ＰＤＣＣＨは、ＰＲＢ(ｐｈｙｓｉｃａｌ ｒｅｓｏｕｒｃｅ ｂｌｏｃｋ)及びＭＣＳ(ｍｏｄｕｌａｔｉｏｎ ａｎｄ ｃｏｄｉｎｇ ｓｃｈｅｍｅｓ)のように動的に割り当てられたリソースを伝送することができる。データが送信される単位時間であるＴＴＩ(ｔｒａｎｓｍｉｓｓｉｏｎ ｔｉｍｅ ｉｎｔｅｒｖａｌ)は、１個のサブフレームの長さと同じである。１つのサブフレームの長さは、１ｍｓである。
【００２７】
トランスポートチャネルは、チャネルが共有されるかどうかによって、共通トランスポートチャネル及び専用トランスポートチャネルに分類される。ネットワークから端末にデータを送信するＤＬトランスポートチャネル(ＤＬ ｔｒａｎｓｐｏｒｔ ｃｈａｎｎｅｌ)は、システム情報を送信するＢＣＨ(ｂｒｏａｄｃａｓｔ ｃｈａｎｎｅｌ)、ページングメッセージを送信するＰＣＨ(ｐａｇｉｎｇ ｃｈａｎｎｅｌ)、ユーザトラフィックまたは制御信号を送信するＤＬ−ＳＣＨなどを含む。ＤＬ−ＳＣＨは、ＨＡＲＱ、変調、コーディング及び送信電力の変化による動的リンク適応及び動的/半静的リソース割当をサポートする。また、ＤＬ−ＳＣＨは、セル全体にブロードキャスト及びビーム形成の使用を可能にする。システム情報は、１つ以上のシステム情報ブロックを伝送する。全てのシステム情報ブロックは、同じ周期に送信されることができる。ＭＢＭＳ(ｍｕｌｔｉｍｅｄｉａ ｂｒｏａｄｃａｓｔ/ｍｕｌｔｉｃａｓｔ ｓｅｒｖｉｃｅ)のトラフィックまたは制御信号は、ＭＣＨ(ｍｕｌｔｉｃａｓｔ ｃｈａｎｎｅｌ)を介して送信される。
【００２８】
端末からネットワークにデータを送信するＵＬトランスポートチャネルは、初期制御メッセージ(ｉｎｉｔｉａｌ ｃｏｎｔｒｏｌ ｍｅｓｓａｇｅ)を送信するＲＡＣＨ(ｒａｎｄｏｍ ａｃｃｅｓｓ ｃｈａｎｎｅｌ)、ユーザトラフィックまたは制御信号を送信するＵＬ−ＳＣＨなどを含む。ＵＬ−ＳＣＨは、ＨＡＲＱ及び送信電力及び潜在的な変調及びコーディングの変化による動的リンク適応をサポートすることができる。また、ＵＬ−ＳＣＨは、ビーム形成の使用を可能にする。ＲＡＣＨは、一般的にセルへの初期アクセスに使用される。
【００２９】
Ｌ２に属するＭＡＣ層は、論理チャネル(ｌｏｇｉｃａｌ ｃｈａｎｎｅｌ)を介して上位層であるＲＬＣ(ｒａｄｉｏ ｌｉｎｋ ｃｏｎｔｒｏｌ)層にサービスを提供する。ＭＡＣ層は、複数の論理チャネルから複数のトランスポートチャネルへのマッピング機能を提供する。また、ＭＡＣ層は、複数の論理チャネルから単数のトランスポートチャネルへのマッピングによる論理チャネル多重化機能を提供する。ＭＡＣ副層は、論理チャネル上のデータ送信サービスを提供する。
【００３０】
論理チャネルは、送信される情報の種類によって、制御平面の情報伝達のための制御チャネルとユーザ平面の情報伝達のためのトラフィックチャネルに分けられる。即ち、論理チャネルタイプのセットは、ＭＡＣ層により提供される異なるデータ送信サービスのために定義される。論理チャネルは、トランスポートチャネルの上位に位置してトランスポートチャネルにマッピングされる。
【００３１】
制御チャネルは、制御平面の情報伝達だけのために使用される。ＭＡＣ層により提供される制御チャネルは、ＢＣＣＨ(ｂｒｏａｄｃａｓｔ ｃｏｎｔｒｏｌ ｃｈａｎｎｅｌ)、ＰＣＣＨ(ｐａｇｉｎｇ ｃｏｎｔｒｏｌ ｃｈａｎｎｅｌ)、ＣＣＣＨ(ｃｏｍｍｏｎ ｃｏｎｔｒｏｌ ｃｈａｎｎｅｌ)、ＭＣＣＨ(ｍｕｌｔｉｃａｓｔ ｃｏｎｔｒｏｌ ｃｈａｎｎｅｌ)及びＤＣＣＨ(ｄｅｄｉｃａｔｅｄ ｃｏｎｔｒｏｌ ｃｈａｎｎｅｌ)を含む。ＢＣＣＨは、システム制御情報を放送するためのダウンリンクチャネルである。ＰＣＣＨは、ページング情報の送信及びセル単位の位置がネットワークに知られていない端末をページングするために使用されるダウンリンクチャネルである。ＣＣＣＨは、ネットワークとＲＲＣ接続をしない場合、端末により使用される。ＭＣＣＨは、ネットワークから端末にＭＢＭＳ制御情報を送信するのに使用される一対多のダウンリンクチャネルである。ＤＣＣＨは、ＲＲＣ接続状態で端末とネットワークとの間に専用制御情報送信のために端末により使用される一対一の双方向チャネルである。
【００３２】
トラフィックチャネルは、ユーザ平面の情報伝達だけのために使用される。ＭＡＣ層により提供されるトラフィックチャネルは、ＤＴＣＨ(ｄｅｄｉｃａｔｅｄ ｔｒａｆｆｉｃ ｃｈａｎｎｅｌ)及びＭＴＣＨ(ｍｕｌｔｉｃａｓｔ ｔｒａｆｆｉｃ ｃｈａｎｎｅｌ)を含む。ＤＴＣＨは、一対一のチャネルであり、１つの端末のユーザ情報の送信のために使われ、アップリンク及びダウンリンクの両方ともに存在できる。ＭＴＣＨは、ネットワークから端末にトラフィックデータを送信するための一対多のダウンリンクチャネルである。
【００３３】
論理チャネルとトランスポートチャネルとの間のアップリンク接続は、ＵＬ−ＳＣＨにマッピングされることができるＤＣＣＨ、ＵＬ−ＳＣＨにマッピングされることができるＤＴＣＨ及びＵＬ−ＳＣＨにマッピングされることができるＣＣＣＨを含む。論理チャネルとトランスポートチャネルとの間のダウンリンク接続は、ＢＣＨまたはＤＬ−ＳＣＨにマッピングされることができるＢＣＣＨ、ＰＣＨにマッピングされることができるＰＣＣＨ、ＤＬ−ＳＣＨにマッピングされることができるＤＣＣＨ、ＤＬ−ＳＣＨにマッピングされることができるＤＴＣＨ、ＭＣＨにマッピングされることができるＭＣＣＨ及びＭＣＨにマッピングされることができるＭＴＣＨを含む。
【００３４】
ＲＬＣ層は、Ｌ２に属する。ＲＬＣ層の機能は、下位層がデータを送信するのに適するように無線セクションで上位層から受信されたデータの分割/連接によるデータの大きさ調整を含む。無線ベアラ(ＲＢ；ｒａｄｉｏ ｂｅａｒｅｒ)が要求する多様なＱｏＳを保障するために、ＲＬＣ層は、透明モード(ＴＭ；ｔｒａｎｓｐａｒｅｎｔ ｍｏｄｅ)、非確認モード(ＵＭ；ｕｎａｃｋｎｏｗｌｅｄｇｅｄ ｍｏｄｅ)及び確認モード(ＡＭ；ａｃｋｎｏｗｌｅｄｇｅｄ ｍｏｄｅ)の三つの動作モードを提供する。ＡＭ ＲＬＣは、信頼性のあるデータ送信のためにＡＲＱ(ａｕｔｏｍａｔｉｃ ｒｅｐｅａｔ ｒｅｑｕｅｓｔ)を介して再送信機能を提供する。一方、ＲＬＣ層の機能は、ＭＡＣ層内部の機能ブロックで実現されることができ、このとき、ＲＬＣ層は、存在しない場合もある。
【００３５】
ＰＤＣＰ(ｐａｃｋｅｔ ｄａｔａ ｃｏｎｖｅｒｇｅｎｃｅ ｐｒｏｔｏｃｏｌ)層は、Ｌ２に属する。ＰＤＣＰ層は、相対的に帯域幅が小さい無線インターフェース上でＩＰｖ４またはＩＰｖ６のようなＩＰパケットを導入して送信されるデータが効率的に送信されるように不要な制御情報を減らすヘッダ圧縮機能を提供する。ヘッダ圧縮は、データのヘッダに必要な情報のみを送信することによって、無線セクションで送信効率を上げる。さらに、ＰＤＣＰ層は、セキュリティ機能を提供する。セキュリティ機能は、第三者の検査を防止する暗号化及び第三者のデータ操作を防止する完全性保護を含む。
【００３６】
ＲＲＣ(ｒａｄｉｏ ｒｅｓｏｕｒｃｅ ｃｏｎｔｒｏｌ)層は、Ｌ３に属する。Ｌ３の最下部に位置するＲＲＣ層は、制御平面でのみ定義される。ＲＲＣ層は、端末とネットワークとの間の無線リソースを制御する役割を遂行する。そのために、端末とネットワークは、ＲＲＣ層を介してＲＲＣメッセージを交換する。ＲＲＣ層は、ＲＢの設定(ｃｏｎｆｉｇｕｒａｔｉｏｎ)、再設定(ｒｅ−ｃｏｎｆｉｇｕｒａｔｉｏｎ)及び解除(ｒｅｌｅａｓｅ)と関連して論理チャネル、トランスポートチャネル及び物理チャネルの制御を担当する。ＲＢは、端末とネットワークとの間のデータ伝達のために、Ｌ１及びＬ２により提供される論理的経路である。即ち、ＲＢは、端末とＥ−ＵＴＲＡＮとの間のデータ送信のために、Ｌ２により提供されるサービスを意味する。ＲＢが設定されるとは、特定サービスを提供するために無線プロトコル層及びチャネルの特性を規定し、各々の具体的なパラメータ及び動作方法を決定することを意味する。ＲＢは、ＳＲＢ(ｓｉｇｎａｌｉｎｇ ＲＢ)とＤＲＢ(ｄａｔａ ＲＢ)の２つに区分されることができる。ＳＲＢは、制御平面でＲＲＣメッセージを送信する通路として使われ、ＤＲＢは、ユーザ平面でユーザデータを送信する通路として使用される。
【００３７】
図３−(ａ)を参照すると、ＲＬＣ及びＭＡＣ層(ネットワーク側でｅＮＢで終了)は、スケジューリング、ＡＲＱ及びＨＡＲＱのような機能を遂行することができる。ＰＤＣＰ層(ネットワーク側でｅＮＢで終了)は、ヘッダ圧縮、完全性保護及び暗号化のようなユーザ平面機能を遂行することができる。
【００３８】
図３−(ｂ)を参照すると、ＲＬＣ/ＭＡＣ層(ネットワーク側でｅＮＢで終了)は、制御平面のために同じ機能を遂行することができる。ＲＲＣ層(ネットワーク側でｅＮＢで終了)は、放送、ページング、ＲＲＣ接続管理、ＲＢ制御、移動性機能及びＵＥ測定報告及び制御のような機能を遂行することができる。ＮＡＳ制御プロトコル(ネットワーク側でゲートウェイのＭＭＥで終了)は、ＳＡＥベアラ管理、認証、ＬＴＥ_ＩＤＬＥ移動性管理、ＬＴＥ_ＩＤＬＥでのページング開始及びゲートウェイとＵＥとの間のシグナリングのためのセキュリティ制御のような機能を遂行することができる。
【００３９】
ＲＲＣ状態は、端末のＲＲＣ層がＥ−ＵＴＲＡＮのＲＲＣ層と論理的に接続されているかどうかを指示する。ＲＲＣ状態は、ＲＲＣ接続状態(ＲＲＣ_ＣＯＮＮＥＣＴＥＤ)及びＲＲＣアイドル状態(ＲＲＣ_ＩＤＬＥ)のように２つに分けられる。端末のＲＲＣ層とＥ−ＵＴＲＡＮのＲＲＣ層との間のＲＲＣ接続が設定されている場合、端末はＲＲＣ接続状態になり、それ以外の場合、端末はＲＲＣアイドル状態になる。ＲＲＣ_ＣＯＮＮＥＣＴＥＤの端末は、Ｅ−ＵＴＲＡＮとＲＲＣ接続が設定されているため、Ｅ−ＵＴＲＡＮは、ＲＲＣ_ＣＯＮＮＥＣＴＥＤの端末の存在を把握することができ、端末を効果的に制御することができる。一方、Ｅ−ＵＴＲＡＮは、ＲＲＣ_ＩＤＬＥの端末を把握することができず、コアネットワーク(ＣＮ；ｃｏｒｅ ｎｅｔｗｏｒｋ)がセルより大きい領域であるトラッキング領域(ｔｒａｃｋｉｎｇ ａｒｅａ)単位に端末を管理する。即ち、ＲＲＣ_ＩＤＬＥの端末は、より大きい領域の単位に存在のみが把握され、音声またはデータ通信のような通常の移動通信サービスを受けるために、端末は、ＲＲＣ_ＣＯＮＮＥＣＴＥＤに移動しなければならない。
【００４０】
ＲＲＣ_ＩＤＬＥで、端末がＮＡＳにより設定されたＤＲＸ(ｄｉｓｃｏｎｔｉｎｕｏｕｓ ｒｅｃｅｐｔｉｏｎ)を指定する中、端末は、システム情報及びページング情報の放送を受信することができる。また、端末は、トラッキング領域で端末を固有に指定するＩＤ(ｉｄｅｎｔｉｆｉｃａｔｉｏｎ)の割当を受け、ＰＬＭＮ(ｐｕｂｌｉｃ ｌａｎｄ ｍｏｂｉｌｅ ｎｅｔｗｏｒｋ)選択及びセル再選択を実行することができる。また、ＲＲＣ_ＩＤＬＥで、ＲＲＣコンテキストはｅＮＢに格納されない。
【００４１】
ＲＲＣ_ＣＯＮＮＥＣＴＥＤで、端末は、Ｅ−ＵＴＲＡＮでＥ−ＵＴＲＡＮ ＲＲＣ接続及びＲＲＣ ｃｏｎｔｅｘｔを有し、ｅＮＢにデータを送信及び／又はｅＮＢからデータを受信することが可能である。また、端末は、ｅＮＢにチャネル品質情報及びフィードバック情報を報告することができる。ＲＲＣ_ＣＯＮＮＥＣＴＥＤで、Ｅ−ＵＴＲＡＮは、端末が属するセルを知ることができる。したがって、ネットワークは、端末にデータを送信及び／又は端末からデータを受信することができ、端末の移動性(ハンドオーバ及びＮＡＣＣ(ｎｅｔｗｏｒｋ ａｓｓｉｓｔｅｄ ｃｅｌｌ ｃｈａｎｇｅ)を介したＧＥＲＡＮ(ＧＳＭ ＥＤＧＥ ｒａｄｉｏ ａｃｃｅｓｓ ｎｅｔｗｏｒｋ)にｉｎｔｅｒ−ＲＡＴ(ｒａｄｉｏ ａｃｃｅｓｓ ｔｅｃｈｎｏｌｏｇｙ)セル変更指示)を制御することができ、隣接セルのためにセル測定を実行することができる。
【００４２】
ＲＲＣ_ＩＤＬＥで、端末は、ページングＤＲＸ周期を指定する。具体的には、端末は、端末特定ページングＤＲＸ周期毎の特定ページング機会(ｐａｇｉｎｇ ｏｃｃａｓｉｏｎ)にページング信号をモニタする。ページング機会は、ページング信号が送信される中の時間間隔である。端末は、自分のみのページング機会を有している。
【００４３】
ユーザが端末の電源を最初にオンした時、端末は、まず、適切なセルを探索した後、該当セルでＲＲＣ_ＩＤＬＥにとどまる。ＲＲＣ接続を確立する必要がある時、ＲＲＣ_ＩＤＬＥにとどまっている端末は、ＲＲＣ接続手順を介してＥ−ＵＴＲＡＮのＲＲＣとＲＲＣ接続を確立してＲＲＣ_ＣＯＮＮＥＣＴＥＤに移動することができる。ＲＲＣ_ＩＤＬＥにとどまっている端末は、ユーザの通話試みなどの理由でアップリンクデータ送信が必要な時、またはＥ−ＵＴＲＡＮからページングメッセージを受信し、これに対する応答メッセージ送信が必要な時などにＥ−ＵＴＲＡＮとＲＲＣ接続を確立する必要がある。
【００４４】
ＲＲＣ＿ＩＤＬＥに残っているＵＥは、よりよいセルを探すためのセル再選択を持続的に行う。このような場合に、前記ＵＥは、周波数優先権情報を使用して測定及びセル再選択を行う。すなわち、前記ＵＥは、周波数測定及びセル再選択を行うとき、前記周波数優先権情報に基づいていかなる周波数が優先的に考慮されるかを決定できる。前記ＵＥは、システム情報またはＲＲＣ連結解除メッセージを使用して前記周波数優先権情報を受信することができる。または、前記ＵＥは、ｉｎｔｅｒ−ＲＡＴセル再選択内のさらに他のＲＡＴから前記周波数優先権情報を受信することができる。
【００４５】
以下において、ページングが詳細に説明される。３ＧＰＰ  ＴＳ  ３６．４１３  Ｖ１１．５．０の第８．５節（２０１３−０９）及び３ＧＰＰ  ＴＳ  ３６．３３１  Ｖ１１．５．０の第５．３．２節（２０１３−０９）を参照できる。
【００４６】
図５は、ＭＭＥ及びｅＮＢ間でのページング手順を示す。ステップＳ５０においてＭＭＥは、ページングメッセージをｅＮＢに送信することによりページング手順を開始する。ページングメッセージを受信すれば、前記ｅＮＢは、Ｌｉｓｔ  ｏｆ  ＴＡＩｓ  ＩＥにより指示されるトラッキング領域に属するセル内のＵＥのページングを行うようになるであろう。ＣＮ  Ｄｏｍａｉｎ  ＩＥは、ユーザに意識させないで(transparently)ＵＥに送信されるようになるであろう。Ｐａｇｉｎｇ  ＤＲＸ  ＩＥが前記ページングメッセージに含まれ得るし、存在する場合には、ｅＮＢがこれを使用するようになるであろう。ＣＳＧ（ｃｌｏｓｅｄ  ｓｕｂｓｃｒｉｂｅｒ  ｇｒｏｕｐ）ＩＤ等の目録が前記ページングメッセージ内に含まれ得る。含まれる場合、Ｅ−ＵＴＲＡＮは、ＣＳＧ  ＩＤが目録に表れないＣＳＧセルにあるＵＥをページングすることを避けるために、ＣＳＧ  ＩＤ等の目録を使用することができる。Ｌｉｓｔ  ｏｆ  ＴＡＩｓ  ＩＥにより指示されたＴＡのうち、いずれか１つに属する各セルに対して、前記ｅＮＢは、無線インターフェース上に１つのページを生成するようになるであろう。Ｐａｇｉｎｇ  Ｐｒｉｏｒｉｔｙ  ＩＥがページングメッセージ内に含まれ得るし、存在する場合には、ｅＮＢがこれを使用するようになるであろう。
【００４７】
表１及び表２は、ＭＭＥからｅＮＢに送信されたページングメッセージの例を示す。
【００４８】
【表１】
2016535506.tif 000003
【００４９】
【表２】
2016535506.tif 000004
【００５０】
図６は、Ｅ−ＵＴＲＡＮ及びｅＮＢ間でのページング手順を示す。ステップＳ６０においてＥ−ＵＴＲＡＮは、ＵＥのページング機会ページングメッセージをＵＥに送信することにより、ページング手順を開始する。Ｅ−ＵＴＲＡＮは、各ＵＥに対して１つのＰａｇｉｎｇＲｅｃｏｒｄを含むことにより、ページングメッセージ内の多重ＵＥを処理するようになるであろう。Ｅ−ＵＴＲＡＮもページングメッセージ内でシステム情報での変化の指示、及び／又はＥＴＷＳ通知若しくはＣＭＡＳ通報を提供できる。
【００５１】
ページングメッセージを受信すれば、前記ＵＥは、次を行うようになるであろう：
１＞ＲＲＣ＿ＩＤＬＥにある場合、ページングメッセージ内に含まれたＰａｇｉｎｇＲｅｃｏｒｄが存在する場合、これらの各々に対して：
【００５２】
２＞ＰａｇｉｎｇＲｅｃｏｒｄ内に含まれたｕｅ−Ｉｄｅｎｔｉｔｙがより上位層により割り当てられたＵＥのうちの１つに合致する場合：
【００５３】
３＞ｕｅ−Ｉｄｅｎｔｉｔｙ及びｃｎ−Ｄｏｍａｉｎを上位層に伝達；
【００５４】
１＞ｓｙｓｔｅｍＩｎｆｏＭｏｄｉｆｉｃａｔｉｏｎが含まれる場合：
【００５５】
２＞システム情報取得手順を使用してシステム情報を再取得。
【００５６】
１＞ｅｔｗｓ−Ｉｎｄｉｃａｔｉｏｎが含まれ、ＵＥがＥＴＷＳ能力がある場合：
【００５７】
２＞ＳｙｓｔｅｍＩｎｆｏｒｍａｔｉｏｎＢｌｏｃｋＴｙｐｅ１を直ちに、すなわち、次のシステム情報修正期間の境界まで待たずに再取得；
【００５８】
２＞ｓｃｈｅｄｕｌｉｎｇＩｎｆｏＬｉｓｔがＳｙｓｔｅｍＩｎｆｏｒｍａｔｉｏｎＢｌｏｃｋＴｙｐｅ１０が存在することを指示する場合：
【００５９】
３＞ＳｙｓｔｅｍＩｎｆｏｒｍａｔｉｏｎＢｌｏｃｋＴｙｐｅ１０を取得；
【００６０】
２＞ｓｃｈｅｄｕｌｉｎｇＩｎｆｏＬｉｓｔがＳｙｓｔｅｍＩｎｆｏｒｍａｔｉｏｎＢｌｏｃｋＴｙｐｅ１１が存在することを指示する場合：
【００６１】
３＞ＳｙｓｔｅｍＩｎｆｏｒｍａｔｉｏｎＢｌｏｃｋＴｙｐｅ１１を取得；
【００６２】
１＞ｃｍａｓ−Ｉｎｄｉｃａｔｉｏｎが含まれ、ＵＥがＣＭＡＳ能力がある場合：
【００６３】
２＞ＳｙｓｔｅｍＩｎｆｏｒｍａｔｉｏｎＢｌｏｃｋＴｙｐｅ１を直ちに、すなわち、次のシステム情報修正期間の境界まで待たずに再取得；
【００６４】
２＞ｓｃｈｅｄｕｌｉｎｇＩｎｆｏＬｉｓｔがＳｙｓｔｅｍＩｎｆｏｒｍａｔｉｏｎＢｌｏｃｋＴｙｐｅ１２が存在することを指示する場合：
【００６５】
３＞ＳｙｓｔｅｍＩｎｆｏｒｍａｔｉｏｎＢｌｏｃｋＴｙｐｅ１２を取得；
【００６６】
１＞ＲＲＣ＿ＩＤＬＥ内にｅａｂ−ＰａｒａｍＭｏｄｉｆｉｃａｔｉｏｎが含まれ、ＵＥがＥＡＢ能力がある場合：
【００６７】
２＞以前に保存されたＳｙｓｔｅｍＩｎｆｏｒｍａｔｉｏｎＢｌｏｃｋＴｙｐｅ１４を無効と見なす；
【００６８】
２＞ＳｙｓｔｅｍＩｎｆｏｒｍａｔｉｏｎＢｌｏｃｋＴｙｐｅ１を直ちに、すなわち、次のシステム情報修正期間の境界まで待たずに再取得；
【００６９】
２＞システム情報取得手順を使用してＳｙｓｔｅｍＩｎｆｏｒｍａｔｉｏｎＢｌｏｃｋＴｙｐｅ１４を再取得；
【００７０】
表３は、Ｅ−ＵＴＲＡＮからＵＥに送信されたページングメッセージの例を示す。
【００７１】
【表３】
2016535506.tif 000005
【００７２】
表３を参照すれば、ｃｍａｓ−Ｉｎｄｉｃａｔｉｏｎフィールドが存在する場合、これは、ＣＭＡＳ通知の指示を表す。ｃｎ−Ｄｏｍａｉｎフィールドは、ページングの原点を表す。ｅａｂ−ＰａｒａｍＭｏｄｉｆｉｃａｔｉｏｎフィールドが存在する場合、これは、ＥＡＢパラメータ（ＳＩＢ１４）修正の指示を表す。ｅｔｗｓ−Ｉｎｄｉｃａｔｉｏｎフィールドが存在する場合、これは、ＥＴＷＳ１次通知及び／又はＥＴＷＳ２次通知の指示を表す。ｉｍｓｉフィールドは、全世界的に唯一の永久加入者識別である国際移動加入者識別を表す。１番目の元素は、第１のＩＭＳＩ桁数を含み、２番目の元素は、第２のＩＭＳＩ桁数を含む方式で続く。ｓｙｓｔｅｍＩｎｆｏＭｏｄｉｆｉｃａｔｉｏｎフィールドは、存在する場合、ＳＩＢ１０、ＳＩＢ１１、ＳＩＢ１２、及びＳＩＢ１４でないＢＣＣＨ修正の指示を表す。ｕｅ−Ｉｄｅｎｔｉｔｙフィールドは、ページングされているＵＥのＮＡＳ識別を表す。
【００７３】
カテゴリー０  ＵＥまたは低い複雑度のＵＥが説明される。低い複雑度のＵＥは、低い順位（例えば、ユーザ当たり、低い平均収益、低いデータ比率、遅延の許容）のアプリケーション、例えば、一部のＭＴＣ（ｍａｃｈｉｎｅ−ｔｙｐｅ  ｃｏｍｍｕｎｉｃａｔｉｏｎ）をターゲットとする。低い複雑度のＵＥは、ＵＥカテゴリー０を表し、次の項目を支援できる：
【００７４】
・単一受信アンテナ；
【００７５】
・タイプＢ半デュプレックス（ｈａｌｆ−ｄｕｐｌｅｘ）ＦＤＤ（ｆｒｅｑｕｅｎｃｙ  ｄｉｖｉｓｉｏｎ  ｄｕｐｌｅｘ）作動（選択的）；
【００７６】
・ユニキャスト送信／受信に対して１０００ビットの最大ＵＬ−ＳＣＨ／ＤＬ−ＳＣＨ送信ブロックサイズ（ＴＢＳ；ｔｒａｎｓｐｏｒｔ  ｂｌｏｃｋ  ｓｉｚｅ）；
【００７７】
・向上したＭＢＭＳ（ｅＭＢＭＳ）を支援する場合、４５８４ビットの最大ＭＣＨ  ＴＢＳ
【００７８】
カテゴリー０  ＵＥは、ＳＩＢ１がカテゴリー０  ＵＥの接続が支援されることを表す場合にのみセルに接続できる。セルがカテゴリー０  ＵＥの接続を支援しない場合に、カテゴリー０  ＵＥは、前記セルが禁止されたことと見なすことができ、当該セルにキャンプオンできない。ｅＮＢは、ＵＥの能力に基づいてＵＥがカテゴリー０にあることを決定できる。カテゴリー０を表すＵＥは、Ｃ−ＲＮＴＩ（ｃｅｌｌ  ｒａｄｉｏ  ｎｅｔｗｏｒｋ  ｔｅｍｐｏｒａｒｙ  ｉｄｅｎｔｉｔｙ）／ＳＰＳ（ｓｅｍｉ−ｐｅｒｓｉｓｔｅｎｔ  ｓｃｈｅｄｕｌｉｎｇ）Ｃ−ＲＮＴＩ／Ｐ−ＲＮＴＩ（ｐａｇｉｎｇ  ＲＮＴＩ）／ＳＩ−ＲＮＴＩ（ｓｙｓｔｅｍ  ｉｎｆｏｒｍａｔｉｏｎ  ＲＮＴＩ）／ＲＡ−ＲＮＴＩ（ｒａｎｄｏｍ  ａｃｃｅｓｓ  ＲＮＴＩ）と連関された送信ブロックに対して１０００ビットまで、Ｐ−ＲＮＴＩ／ＳＩ−ＲＮＴＩ／ＲＡ−ＲＮＴＩと連関されたさらに他の送信ブロックに対しては２２１６ビットまで受信できなければならないであろう。
【００７９】
カテゴリー０  ＵＥは、単一受信アンテナのみを有するので、ｅＮＢがカテゴリー０  ＵＥをページングするとき、セルの端部上の他のＵＥと比較してセルの端部上のカテゴリー０  ＵＥに送信されるページング要求が失敗する比率が増加し得る。これは、カテゴリー０  ＵＥに対するページング遅延を引き起こす。失敗比率が増加することを避けるために、ｅＮＢは、セル内にカテゴリー０  ＵＥがあるかを知らないので、常に増加されたパワーとしてページングを行うことができる。これは、他のセルにパワー浪費及び干渉を招くことができる。
【００８０】
これにより、ページングのために、カテゴリー０  ＵＥに関する情報を送信する方法が要求される。以下の技術では、本発明の一実施形態によってカテゴリー０  ＵＥに対してページングメッセージを送信する方法が記述される。
【００８１】
図７は、本発明の一実施形態によってページングメッセージを送信する方法の例を示す。ステップＳ１００においてＭＭＥは、カテゴリー０  ＵＥに対するページングの失敗比率が増加することを避けるために、カテゴリー０  ＵＥ指示を含むページングメッセージをｅＮＢに送信する。前記カテゴリー０  ＵＥ指示は、次の情報のうち、少なくとも１つを含むことができる：
・ページングされるＵＥがカテゴリー０  ＵＥであるかを表す指示
・ページングされるＵＥのカテゴリー
・ページングされるＵＥが制限された帯域幅能力を有するかを表す指示：言い換えれば、前記指示は、ＵＥが２０ＭＨｚより小さい帯域幅内でのみスケジューリングされる必要があることを表すことができる。
【００８２】
・ページングされるＵＥがユニキャスト／ブロードキャスト送信／受信のための最大ＵＬ−ＳＣＨ／ＤＬ−ＳＣＨ  ＴＢＳサイズに対する制限を有していることを表す指示
【００８３】
ページングメッセージ内に含まれた前記受信されたカテゴリー０  ＵＥ指示に基づいて、ｅＮＢは、カテゴリー０  ＵＥに特定のページング機会内でカテゴリー０  ＵＥに特定の新しいＰ−ＲＮＴＩを使用してカテゴリー０  ＵＥに対するページングメッセージをスケジューリングすることができる。これにより、ＵＥがカテゴリー０  ＵＥである場合に、前記ＵＥは、カテゴリー０  ＵＥに特定のページング機会内でカテゴリー０  ＵＥに特定の新しいＰ−ＲＮＴＩをモニタリングする。Ｐ−ＲＮＴＩ２とも呼ばれることができる前記新しいＰ−ＲＮＴＩがＵＥのページング機会内のＰＤＣＣＨ上で指示された場合、前記ＵＥは、ページングメッセージを受信する。カテゴリー０  ＵＥに特定な前記ページング機会は、他の全てのＵＥに対して使用されるページング機会の部分集合でありうる。ｅＮＢは、カテゴリー０  ＵＥに特定のページング機会及びページングサイクルをＭＴＣ  ＳＩＢのうちの１つを介して通知する。
【００８４】
本発明の一実施形態に係るカテゴリー０  ＵＥ指示は、上述した図５において説明されたページングメッセージ内に含まれた新しく定義されたＵＥ  Ｒａｄｉｏ  Ｃａｐａｂｉｌｉｔｙ  ｆｏｒ  Ｐａｇｉｎｇ  ＩＥでありうる。すなわち、本発明の一実施形態によれば、ＭＭＥは、ページングメッセージをｅＮＢに送信することにより、ページング手順を開始することができる。ページングメッセージを受信すれば、前記ｅＮＢは、Ｌｉｓｔ  ｏｆ  ＴＡＩｓ  ＩＥにより指示されるトラッキング領域に属するセル内のＵＥのページングを行うようになるであろう。ＣＮ  Ｄｏｍａｉｎ  ＩＥは、透明にＵＥに送信されるようになるであろう。Ｐａｇｉｎｇ  ＤＲＸ  ＩＥが前記ページングメッセージに含まれ得るし、存在する場合には、ｅＮＢがこれを使用するようになるであろう。ＣＳＧ  ＩＤ等の目録が前記ページングメッセージ内に含まれ得る。含まれる場合、Ｅ−ＵＴＲＡＮは、ＣＳＧ  ＩＤが目録に表れないＣＳＧセルにあるＵＥをページングすることを避けるために、ＣＳＧ  ＩＤ等の目録を使用できる。Ｌｉｓｔ  ｏｆ  ＴＡＩｓ  ＩＥにより指示されたＴＡののうち、いずれか１つに属する各セルに対して、前記ｅＮＢは、無線インターフェース上に１つのページを生成するようになるであろう。Ｐａｇｉｎｇ  Ｐｒｉｏｒｉｔｙ  ＩＥがページングメッセージ内に含まれ得るし、存在する場合には、ｅＮＢがこれを使用するようになるであろう。ＵＥ  Ｒａｄｉｏ  Ｃａｐａｂｉｌｉｔｙ  ｆｏｒ  Ｐａｇｉｎｇ  ＩＥがページングメッセージ内に含まれる場合、ｅＮＢは、これを使用して特定のページング体系に適用することができる。このような特定ページング体系は、カテゴリー０  ＵＥに対するページングでありうる。
【００８５】
表４及び表５は、本発明の実施形態によってＵＥ  Ｒａｄｉｏ  Ｃａｐａｂｉｌｉｔｙ  ｆｏｒ  Ｐａｇｉｎｇ  ＩＥを含むページングメッセージの例を示す。
【００８６】
【表４】
2016535506.tif 000006
【００８７】
【表５】
2016535506.tif 000007
【００８８】
表４を参照すれば、ページングメッセージは、Ｐａｇｉｎｇ  ＩＥのためのＵＥ  Ｒａｄｉｏ  Ｃａｐａｂｉｌｉｔｙを含む。表６は、本発明の一実施形態に係るＰａｇｉｎｇ  ＩＥのためのＵＥ  Ｒａｄｉｏ  Ｃａｐａｂｉｌｉｔｙの例を示す。ＵＥ  Ｒａｄｉｏ  Ｃａｐａｂｉｌｉｔｙ  ｆｏｒ  Ｐａｇｉｎｇ  ＩＥは、ページングに特定のＵＥ無線能力情報を含む。
【００８９】
【表６】
2016535506.tif 000008
【００９０】
表６を参照すれば、Ｐａｇｉｎｇ  ＩＥのためのＵＥ  Ｒａｄｉｏ  Ｃａｐａｂｉｌｉｔｙは、ＵＥＲａｄｉｏＰａｇｉｎｇＩｎｆｏｒｍａｔｉｏｎメッセージを含む。表７は、本発明の一実施形態に係るＵＥＲａｄｉｏＰａｇｉｎｇＩｎｆｏｒｍａｔｉｏｎメッセージの例を示す。前記ＵＥＲａｄｉｏＰａｇｉｎｇＩｎｆｏｒｍａｔｉｏｎメッセージは、カテゴリー０  ＵＥにより要求される無線ページング情報を送信するために使用され、ＥＰＣからのアップロードとダウンロードとの両方を包括する。
【００９１】
【表７】
2016535506.tif 000009
【００９２】
表７を参照すれば、ＵＥＲａｄｉｏＰａｇｉｎｇＩｎｆｏｒｍａｔｉｏｎメッセージは、ＵＥ−ＲａｄｉｏＰａｇｉｎｇＩｎｆｏ  ＩＥを含む。表８は、本発明の実施形態に係るＵＥ−ＲａｄｉｏＰａｇｉｎｇＩｎｆｏ  ＩＥの例を示す。ＵＥ−ＲａｄｉｏＰａｇｉｎｇＩｎｆｏ  ＩＥは、カテゴリー０  ＵＥのページングのために必要な情報を含む。
【００９３】
【表８】
2016535506.tif 000010
【００９４】
表８を参照すれば、ＵＥ−ＲａｄｉｏＰａｇｉｎｇＩｎｆｏ  ＩＥは、０の値を有し、これは、カテゴリー０  ＵＥを表す。これにより、カテゴリー０  ＵＥに関する情報がＭＭＥからｅＮＢに送信され得る。
【００９５】
本発明によれば、ページングされるＵＥがＵＥカテゴリー０  ＵＥであるか否かをｅＮＢが分かるので、前記ｅＮＢは、システム効率を向上させるために（例えば、送信パワー水準または送信当たり、多重化されるメッセージの個数を調節することにより）、ＵＥ受信機性能を考慮できるように送信を最適化できる。
【００９６】
図８は、本発明の一実施形態によってページングメッセージを送信する方法のさらに他の例を示す。
【００９７】
ステップＳ２００においてＭＭＥは、ページングのためのＵＥ能力の指示を含む第１のページングメッセージをｅＮＢに送信する。ページングのためのＵＥ能力の指示は、ページングされるＵＥがカテゴリー０  ＵＥであることを表す。このようなカテゴリー０  ＵＥは、単一受信アンテナを有しており、ＵＬ−ＳＣＨ／ＤＬ−ＳＣＨのための最大１０００ビットのＴＢＳを支援する。ページングのためのＵＥ能力の指示は、追加的にページングされるＵＥのカテゴリーを表すことができる。ページングのためのＵＥ能力の指示は、追加的にページングされるＵＥが制限された帯域幅能力を有することを表すことができる。ページングのためのＵＥ能力の指示は、追加的にページングされるＵＥがＵＬ−ＳＣＨまたはＤＬ−ＳＣＨの最大ＴＢＳに対する制限を有することを表すことができる。
【００９８】
ステップＳ２１０においてｅＮＢは、ページングのためのＵＥ能力の指示に基づいて第２のページングメッセージをＵＥに送信する。第２のページングメッセージは、カテゴリー０  ＵＥに特定のＰ−ＲＮＴＩを使用して送信されることができる。また、前記第２のページングメッセージは、カテゴリー０  ＵＥに特定のページング機会内で送信されることができる。カテゴリー０  ＵＥに特定のページング機会は、カテゴリー０  ＵＥでない全ての他のＵＥに対して使用されるページング機会の部分集合でありうる。ｅＮＢは、カテゴリー０  ＵＥに特定のページング機会及びページングサイクルに関する情報を前記ＵＥに送信できる。
【００９９】
図９は、本発明の実施形態が実現される無線通信システムのブロック図である。
【０１００】
ＭＭＥ（８００）は、プロセッサ（ｐｒｏｃｅｓｓｏｒ；８１０）、メモリ（ｍｅｍｏｒｙ；８２０）、及びＲＦ部（ｒａｄｉｏ  ｆｒｅｑｕｅｎｃｙ  ｕｎｉｔ；８３０）を備えることができる。プロセッサ８１０は、本明細書において説明された機能、過程、及び／又は方法を実現するように構成されることができる。無線インターフェースプロトコルの層は、プロセッサ８１０により実現されることができる。メモリ８２０は、プロセッサ８１０と連結されて、プロセッサ８１０を駆動するための様々な情報を保存する。ＲＦ部８３０は、プロセッサ８１０と連結されて、無線信号を送信及び／又は受信する。
【０１０１】
ｅＮＢ（９００）は、プロセッサ９１０、メモリ９２０、及びＲＦ部９３０を備えることができる。プロセッサ９１０は、本明細書において説明された機能、過程、及び／又は方法を実現するように構成されることができる。無線インターフェースプロトコルの層は、プロセッサ９１０により実現されることができる。メモリ９２０は、プロセッサ９１０と連結されて、プロセッサ９１０を駆動するための様々な情報を保存する。ＲＦ部９３０は、プロセッサ９１０と連結されて、無線信号を送信及び／又は受信する。
【０１０２】
プロセッサ８１０、９１０は、ＡＳＩＣ(ａｐｐｌｉｃａｔｉｏｎ−ｓｐｅｃｉｆｉｃ ｉｎｔｅｇｒａｔｅｄ ｃｉｒｃｕｉｔ)、他のチップセット、論理回路、及び／又はデータ処理装置を備えることができる。メモリ８２０、９２０は、ＲＯＭ(ｒｅａｄ−ｏｎｌｙ ｍｅｍｏｒｙ)、ＲＡＭ(ｒａｎｄｏｍ ａｃｃｅｓｓ ｍｅｍｏｒｙ)、フラッシュメモリ、メモリカード、格納媒体、及び／又は他の格納装置を備えることができる。ＲＦ部８３０、９３０は、無線周波数信号を処理するためのベースバンド回路を備えることができる。実施形態がソフトウェアで実現されるとき、前述した技法は、前述した機能を果たすモジュール(過程、機能など)で実現されることができる。モジュールは、メモリ８２０、９２０に格納され、プロセッサ８１０、９１０により実行されることができる。メモリ８２０、９２０は、プロセッサ８１０、９１０の内部または外部にあり、よく知られた多様な手段でプロセッサ８１０、９１０と連結されることができる。
【０１０３】
前述した例示的なシステムにおいて、前述した本発明の特徴によって実現されることができる方法は、流れ図に基づいて説明された。便宜上、方法は、一連のステップまたはブロックで説明したが、請求された本発明の特徴は、ステップまたはブロックの順序に限定されるものではなく、あるステップは、異なるステップと、前述と異なる順序にまたは同時に発生できる。また、当業者であれば、流れ図に示すステップが排他的でなく、他のステップが含まれ、または流れ図の一つまたはそれ以上のステップが本発明の範囲に影響を及ぼさずに削除可能であることを理解することができる。
【図１】
2016535506.tif 000011
【図２】
2016535506.tif 000012
【図３】
2016535506.tif 000013
【図４】
2016535506.tif 000014
【図５】
2016535506.tif 000015
【図６】
2016535506.tif 000016
【図７】
2016535506.tif 000017
【図８】
2016535506.tif 000018
【図９】
2016535506.tif 000019
【手続補正書】
【提出日】平成28年5月31日(2016.5.31)
【手続補正１】
【補正対象書類名】特許請求の範囲
【補正対象項目名】全文
【補正方法】変更
【補正の内容】
【特許請求の範囲】
【請求項１】
無線通信システムにおけるＭＭＥ（ｍｏｂｉｌｉｔｙ  ｍａｎａｇｅｍｅｎｔ  ｅｎｔｉｔｙ）によるページングメッセージを送信する方法であって、
ページングのための端末（ＵＥ；ｕｓｅｒ  ｅｑｕｉｐｍｅｎｔ）能力の指示子を含むページングメッセージをｅＮＢ（ｅＮｏｄｅＢ）に送信するステップを含み、
前記ページングのための端末能力の指示子は、ページングされる端末が低費用（ｌｏｗ−ｃｏｓｔ）端末であるか否かを指示する、方法。
【請求項２】
前記低費用ＵＥは、ＭＴＣ（ｍａｃｈｉｎｅ−ｔｙｐｅ  ｃｏｍｍｕｎｉｃａｔｉｏｎ）と関連がある、請求項１に記載の方法。
【請求項３】
前記ページングのための端末能力の指示子は、前記ページングされる端末のカテゴリーをさらに指示する、請求項１に記載の方法。
【請求項４】
前記ページングされる端末のカテゴリーは、カテゴリー０端末であり、
前記カテゴリー０端末は、単一受信アンテナを有し、ユニキャストＵＬ−ＳＣＨ（ｕｐｌｉｎｋ  ｓｈａｒｅｄ  ｃｈａｎｎｅｌ）送信またはユニキャストＤＬ−ＳＣＨ（ｄｏｗｎｌｉｎｋ  ｓｈａｒｅｄ  ｃｈａｎｎｅｌ）受信のために、最大１０００ビットの送信ブロックサイズ（ＴＢＳ；ｔｒａｎｓｐｏｒｔ  ｂｌｏｃｋ  ｓｉｚｅ）を支援する、請求項３に記載の方法。
【請求項５】
前記ページングのための端末能力の指示子は、前記ページングされる端末が制限された帯域幅内でスケジューリングされる必要があることをさらに指示する、請求項１に記載の方法。
【請求項６】
前記ページングのための端末能力の指示子は、前記ページングされる端末がＵＬ−ＳＣＨまたはＤＬ−ＳＣＨの最大ＴＢＳに対して制限があることをさらに指示する、請求項１に記載の方法。
【請求項７】
無線通信システムにおけるｅＮＢ（ｅＮｏｄｅＢ）によるページングメッセージを送信する方法であって、
ページングされる端末（ＵＥ；ｕｓｅｒ  ｅｑｕｉｐｍｅｎｔ）が低費用（ｌｏｗ−ｃｏｓｔ）端末であるか否かを指示するページングのための端末能力の指示子を含む第１のページングメッセージをＭＭＥ（ｍｏｂｉｌｉｔｙ  ｍａｎａｇｅｍｅｎｔ  ｅｎｔｉｔｙ）から受信するステップと、
前記ページングのための端末能力の指示子に基づいて、前記端末に第２のページングメッセージを送信するステップを含む、方法。
【請求項８】
前記低費用ＵＥは、ＭＴＣ（ｍａｃｈｉｎｅ−ｔｙｐｅ  ｃｏｍｍｕｎｉｃａｔｉｏｎ）と関連がある、請求項７に記載の方法。
【請求項９】
前記ページングのための端末能力の指示子は、前記ページングされる端末のカテゴリーをさらに指示する、請求項７に記載の方法。
【請求項１０】
前記ページングされる端末のカテゴリーは、カテゴリー０端末であり、
前記カテゴリー０端末は、単一受信アンテナを有し、ユニキャストＵＬ−ＳＣＨ（ｕｐｌｉｎｋ  ｓｈａｒｅｄ  ｃｈａｎｎｅｌ）送信またはユニキャストＤＬ−ＳＣＨ（ｄｏｗｎｌｉｎｋ  ｓｈａｒｅｄ  ｃｈａｎｎｅｌ）受信のために、最大１０００ビットの送信ブロックサイズ（ＴＢＳ；ｔｒａｎｓｐｏｒｔ  ｂｌｏｃｋ  ｓｉｚｅ）を支援する、請求項９に記載の方法。
【請求項１１】
前記第２のページングメッセージは、前記低費用端末に特定されたＰ−ＲＮＴＩ（ｐａｇｉｎｇ  ｒａｄｉｏ  ｎｅｔｗｏｒｋ  ｔｅｍｐｏｒａｒｙ  ｉｄｅｎｔｉｔｙ）を使用して送信される、請求項７に記載の方法。
【請求項１２】
前記第２のページングメッセージは、前記低費用端末に特定されたページング機会内で送信される、請求項７に記載の方法。
【請求項１３】
前記低費用端末に特定されたページング機会は、前記低費用端末を除いた残りの全ての端末のために使用されるページング機会の部分集合である、請求項１２に記載の方法。
【請求項１４】
前記低費用端末に特定されたページング機会及びページング周期に関する情報を前記端末に送信する、請求項７に記載の方法。
【請求項１５】
無線通信システムにおけるｅＮＢ（ｅＮｏｄｅＢ）であって、
無線信号を送信または受信するＲＦ（ｒａｄｉｏ  ｆｒｅｑｕｅｎｃｙ）部と、
前記ＲＦ部と連結されるプロセッサと、
を備え、
前記プロセッサは、
ページングされる端末（ＵＥ；ｕｓｅｒ  ｅｑｕｉｐｍｅｎｔ）が低費用端末であるか否かを指示するページングのための端末能力の指示子を含む第１のページングメッセージをＭＭＥ（ｍｏｂｉｌｉｔｙ  ｍａｎａｇｅｍｅｎｔ  ｅｎｔｉｔｙ）から受信し、
前記ページングのための端末能力の指示子に基づいて、前記端末に第２のページングメッセージを送信するように構成される、ｅＮＢ。
【国際調査報告】
2016535506.tif 000020
2016535506.tif 000021
2016535506.tif 000022
2016535506.tif 000023
2016535506.tif 000024
2016535506.tif 000025
2016535506.tif 000026
2016535506.tif 000027
2016535506.tif 000028
2016535506.tif 000029